(57)【要約】  レーダの軸ずれ量を精度よく推定する。  走行する車両の前方の目標物を検出するレーダの軸ずれ量を推定する軸ずれ量推定装置において、距離と速度とに基づいて送信波のエコーから静止物のエコーを選択する静止物抽出部２１と、前記レーダの覆域を複数の領域に分割する観測域分割部２２１と、静止物抽出部２１によって選択された静止物のエコーの反射点であって、観測域分割部２２１によって分割された一部の領域に属する反射点の分布を直線近似して車両の走行軌道に平行な基準直線を求め、この基準直線に基づいて前記レーダの軸ずれ量を求める基準直線算出部２２２と、を備えた。【特許請求の範囲】
【請求項１】
走行する車両前方の目標物を検出するレーダの軸ずれ量を求める軸ずれ量推定方法であって、
前記レーダの送信波のエコーからこのレーダの覆域の所定の一部領域に反射点が属する静止物エコーを選択するエコー選択ステップと、
前記エコー選択ステップにおいて選択された静止物エコーの反射点の分布を直線近似して前記車両の走行軌道に平行な基準直線を算出する基準直線算出ステップと、
前記基準直線算出ステップにおいて算出された基準直線の方向に基づいてレーダの軸ずれ量を求める軸ずれ量推定ステップと、
を有することを特徴とする軸ずれ量推定方法。
【請求項２】
請求の範囲第１項に記載の軸ずれ量推定方法において、
エコー選択ステップは、車両の走行軌道とのなす角がほぼ０°となる境界線に分割されるレーダの覆域の所定の一部領域に反射点が属する静止物エコーを選択することを特徴とする軸ずれ量推定方法。
【請求項３】
請求の範囲第２項に記載の軸ずれ量推定方法において、
エコー選択ステップは、車両の走行軌道とのなす角がほぼ０°となる境界線によって左右に分割された覆域の何れかの領域に属する静止物エコーを選択することを特徴とする軸ずれ量推定方法。
【請求項４】
請求の範囲第１項に記載の軸ずれ量推定方法において、
基準直線算出ステップは、エコー選択ステップにおいて選択された静止物エコーの反射点の分布を近似する第１の直線を求め、この第１の直線との距離が所定値以下となる反射点の分布を近似する第２の直線を基準直線として算出することを特徴とする軸ずれ量推定方法。
【請求項５】
走行する車両前方の目標物を検出するレーダであって、送信波のエコーを受信し、受信したエコーの反射点の距離と速度とを検出するレーダの軸ずれ量を推定する軸ずれ量推定装置において、
前記送信波のエコーから、前記距離と速度とに基づいて静止物エコーを選択する静止物抽出部と、
前記レーダの覆域を複数の領域に分割する観測域分割部と、
前記静止物抽出部によって選択された静止物のエコーの反射点であって、前記観測域分割部によって分割された一部の領域に属する反射点の分布を直線近似して前記車両の走行軌道に平行な基準直線を求め、この基準直線に基づいて前記レーダの軸ずれ量を求める基準直線算出部と、
を備えることを特徴とする軸ずれ量推定装置。
【請求項６】
請求の範囲第５項に記載の軸ずれ量推定装置において、
観測域分割部は、レーダを搭載する車両の走行軌道とのなす角がほぼ０°となる境界線によってレーダの覆域を複数の領域に分割することを特徴とする軸ずれ量推定装置。
【請求項７】
請求の範囲第６項に記載の軸ずれ量推定装置において、
観測域分割部は、レーダの軸を境界線としてこのレーダの覆域を左右に分割することを特徴とする軸ずれ量推定装置。
【請求項８】
請求の範囲第５項に記載の軸ずれ量推定装置において、
基準直線算出部は、静止物抽出部によって選択された静止物のエコーの反射点であって、観測域分割部によって分割された一部の領域に属する反射点の分布を直線近似して第１の直線を求め、さらにこの第１の直線との距離が所定値以内となる静止物のエコーの反射点の分布を近似する第２の直線を基準直線として算出すること特徴とする軸ずれ量算出装置。
【請求項９】
請求の範囲第５項に記載の軸ずれ量推定装置において、
基準直線を記憶する基準直線記憶部を備え、
基準直線算出部は、静止物抽出部によって選択された静止物のエコーの反射点であって、観測域分割部によって分割された一部の領域に属する反射点の分布を直線近似して第１の直線を求め、第１の直線と前記反射点との距離に基づいて第１の直線を基準直線とするか否かを決定し、第１の直線を基準直線とする場合には、この第１の直線を前記基準直線記憶部に記憶させてかつ基準直線として出力し、第１の直線を基準直線としない場合は、前記基準直線記憶部が記憶する基準直線を用いて基準直線を算出する、
ことを特徴とする軸ずれ量推定装置。
【請求項１０】
請求の範囲第５項に記載の軸ずれ量推定装置において、
車両の軌道の曲率を取得する軌道曲率取得部と、
車両の軌道の曲率とを記憶する軌道曲率記憶部と、
基準直線を記憶する基準直線記憶部を備え、
基準直線算出部は、前記軌道曲率記憶部が記憶する車両の軌道の曲率を第１の車両の軌道の曲率として取得するとともに、前記軌道曲率取得部から第２の車両の軌道の曲率を取得してこの第２の車両の軌道の曲率を前記軌道曲率記憶部に車両の軌道の曲率を記憶させ、さらに前記第１の車両の軌道の曲率と前記第２の車両の軌道の曲率とがともに所定値以内である場合に、静止物抽出部によって選択された静止物のエコーの反射点であって、観測域分割部によって分割された一部の領域に属する反射点の分布を直線近似して基準直線を算出し、前記第１の車両の軌道の曲率と第２の車両の軌道の曲率との何れかが所定値を超える場合に前記基準直線記憶部が記憶する基準直線を用いて基準直線を算出する、
ことを特徴とする軸ずれ量推定装置。
【発明の詳細な説明】
【技術分野】
【０００１】
この発明は、レーダを用いて目標物を検出する装置に係るものであり、特にレーダの軸ずれ量を算出して目標物の検出精度を高める技術に関する。
【背景技術】
【０００２】
従来のレーダシステムは軍事・防衛、気象といった分野に多く適用されてきたが、これらの分野では量産コストや据え付けコストがあまり問題になることはなかった。しかし昨今では、レーダ装置を自動車に搭載し、自動車走行中に障害物を検出し、自動車運行上の安全性を高める試みが行われるようになってきている。自動車搭載用レーダでは、量産コストを低く抑えることが問題となるばかりではなく、低廉に生産したレーダを少ない工数で精度よく自動車に取り付けることも要求される。【０００３】
ここで特に問題になるのは、レーダ軸の調整作業の簡略化と高精度化である。自動車搭載用レーダではおよそ２００メートル遠方の目標物の距離や速度を１ｍ程度の分解能で検出することが要求されるが、仮にレーダ軸が本来の前方方向とわずか０．５度ずれただけでも、検出誤差は２００メートル×ｔａｎ０．５°＝１．７メートルとなり、要求分解能を達成できないことになる。【０００４】
さらに、工場出荷前においてレーダ装置を精度よく据え付けることができたとしても、自動車の使用を通じてレーダ装置の据え付けが狂う場合がある。例えば、悪路の走行による長期間の振動や軽微な事故による車体の変形等から生じるレーダ軸の誤差を防止することはほぼ不可能である。そこで、レーダ装置の使用中に軸ずれを自動的に検出し、補正する処理を組み込む必要が生じる。【０００５】
従来、この種の軸ずれ量推定方法としては、レーダを搭載する車両が直線路を走行しているものと仮定し、レーダが検出するエコー中に路側に存在する看板やガードレールなどの静止物のエコーが多く分布するものとして、これら道路に平行に分布するエコーを直線近似し、この直線の方向に基づいてレーダ軸のずれを推定する方式が知られている（例えば特許文献１や非特許文献１）。【０００６】
【特許文献１】特開平７−１２０５５５号公報
【０００７】
【非特許文献１】W.Kederer, J.Detlefsen, Sensor-based determination of angular misalignment and lane configuration of a radar sensor for ACC-applications, Proceedings of 30th European Microwave Conference, pp.313-316, 2000.
【発明の開示】
【発明が解決しようとする課題】
【０００８】
上述の従来技術は、静止物エコーが単一直線上に数多く分布し、直線の近似精度が高い場合にはレーダの軸ずれ量を良好に推定できる。しかし現実の路上で観測される障害物にはさまざまな形状のものが存在するため、エコーの分布がこのような単一の直線のみでは近似できないことはよく知られている。このような状況で、静止物エコーの空間分布を単一直線で近似しようとしても、精度よくレーダの軸ずれ量を推定することは難しい。【０００９】
この発明は上記のような問題点を解決するためになされたもので、レーダ軸の軸ずれ量を精度良く推定することを可能にし、レーダの計測性能を向上させることを目的とする。
【課題を解決するための手段】
【００１０】
かかる課題を解決するために、この発明に係る軸ずれ量推定方法では、
走行する車両前方の目標物を検出するレーダの軸ずれ量を求める軸ずれ量推定方法であって、
前記レーダの送信波のエコーからこのレーダの覆域の所定の一部領域に反射点が属する静止物エコーを選択するエコー選択ステップと、
前記エコー選択ステップにおいて選択された静止物エコーの反射点の分布を直線近似して前記車両の走行軌道に平行な基準直線を算出する基準直線算出ステップと、
前記基準直線算出ステップにおいて算出された基準直線の方向に基づいてレーダの軸ずれ量を求める軸ずれ量推定ステップと、
を有することとしたものである。
【発明の効果】
【００１１】
このように、この発明に係る軸ずれ量推定方法では、レーダの覆域全体に存在する静止物のエコーに対して直線近似を行うのではなく、覆域のうちの一部領域に存在する静止物のエコーに対してのみ直線近似を行うこととしたので、近似精度を劣化させる静止物エコーを棄却することで直線の近似精度が高まり、精度よくレーダの軸ずれ量を算出することが可能となる。
【図面の簡単な説明】
【００１２】
【図１】この発明の実施の形態１によるレーダ装置の構成を示すブロック図。
【図２】この発明の実施の形態１によるレーダ装置の構成を示すブロック図。
【図３】この発明の実施の形態１によるレーダ装置の構成を示すブロック図。
【図４】この発明の実施の形態１の観測領域の構成を示す説明図。
【図５】この発明の実施の形態１の軸ずれ量推定処理のフローチャート。
【図６】この発明の実施の形態１の動作原理を示す説明図。
【図７】この発明の実施の形態２の構成を示すブロック図。
【符号の説明】
【００１３】
４  エコー検出部、
５  位置検出部、
６  速度検出部、
７  軸ずれ量推定部、
８  位置補正部、
２１  静止物抽出部、
２２  直線近似部、
２４  軌道曲率取得部、
２５  基準直線記憶部、
２６  軌道曲率記憶部、
２２１  観測域分割部、
２２２  基準直線算出部。
【発明を実施するための最良の形態】
【００１４】
実施の形態１．
この発明の実施の形態１によるレーダ装置は、例えば自動車に搭載されているものとし、自動車の進行方向（車軸に垂直な方向）に向けてレーダ送信波を放射し、目標物（その多くは、走行上の障害物である）を検出するものとする。ここで、この発明の実施の形態１によるレーダ装置は、目標物の位置を検出する上での基準方位と自動車の正面方向とのずれ、すなわちレーダの軸ずれを補正する機能を有している。【００１５】
初めに、この発明の実施の形態１において利用するレーダの軸ずれ角を補正する方法の原理を大まかに述べるならば、次のようになる。すなわち道路には、ガードレールや歩道、中央分離帯など、自動車の走行軌道に対して平行な面を有する物体が多く見られる。そこで、自動車の走行軌道と平行をなす物体上の反射点、と推測されるレーダ波の反射点（エコーの反射点）を抽出して、これら反射点の分布に対して直線を近似する。【００１６】
こうして得られた直線が自動車の走行軌道に平行であると仮定して、自動車の走行軌道とレーダ自身の基準方向との差違を求めるのである。こうすることで、レーダの基準方向（レーダ軸の方向）にずれ（未知量）が生じていても、ずれの量を適切に算出する。軸ずれ量を考慮して反射体の位置や方位を算出することで、反射体の位置・方位・速度等の精度が向上するということになる。【００１７】
図１は、この発明の実施の形態１によるレーダ装置の構成を表すブロック図である。図に示すように、このレーダ装置は、アンテナ１から自動車の走行方向に向けてレーダ波を放射するとともに、目標物や障害物などレーダ波反射体によって反射されたレーダ波を受信する。送受信部２は、アンテナ１が外部に放射するレーダ波の元となる送信信号１１を供給する。それとともに送受信部２は、アンテナ１がレーダ波反射体によって反射されたレーダ波を受信すると、それにともなってアンテナ１が出力するＲＦ(Radio Frequency)帯域の受信信号１２を中間周波数の内部信号との差信号を用いてビデオ帯域の受信信号にダウンコンバートする。ダウンコンバートは、受信信号１２と送受信部２お内部信号である基準信号の周波数差を出力することにより実現される。以後、ビデオ帯域の受信信号を差信号と呼ぶこととする。この結果として、送受信部２は、差信号１３を出力する。この差信号１３は、信号処理部３に入力されて対象物の位置の検出に供される。【００１８】
エコー検出部４は、差信号１３を用いて反射波の検出を行い、検出した反射エコーの差信号の周波数１４を出力する。このような反射エコーの一般的な検出方法としては、受信機雑音やクラッタなどの不要波成分よりも電力の大きい場合に、反射波があると見なす方法が通常用いられる。そのためには、受信機雑音あるいはクラッタの電力にある一定のマージンを付加し、それを超える電力を持つ信号成分を反射エコーと見なして、これを検出すればよい。【００１９】
位置検出部５は、エコー検出部４が出力した差信号の周波数１４を用いて所定の周期毎に反射点（エコー）の位置１５を求める。そのためには、まずこの反射点とレーダ装置との相対距離、さらには反射点の方向（角度）を求め、求められた相対距離と方向とから反射物の位置が定められる。【００２０】
距離を計測する方法としては、送信波をパルス変調し、送受信の時間差により距離計測を行うパルスレーダ方式や、周波数変調した連続波を送信するとともに、送信信号と受信信号を混合することにより得られる差信号の周波数から距離を得るＦＭＣＷ（Frequency Modulation Continuous Wave）方式あるいは多周波ＣＷ方式などが知られている。また、方向を求める方法としては、ペンシルビームを持つ空中線を機械的に駆動して観測する方式や、複数の素子アンテナを配置し、送信または受信時に各素子にて位相制御を行うことにより電子的にビーム走査を行う方式などが知られている。これら公知の方法を用いれば、当業者ならば容易に位置検出部５を構成することができる。【００２１】
以下の説明において、位置検出部５は、反射点の位置１５を、ｘ座標とｙ座標とからなるデカルト座標系で表現して出力するものとする。ここで、ｙ座標の座標軸であるｙ軸は、レーダ軸方向前方を正の方向とし、その反対方向を負の方向として設定する。また、ｘ座標の座標軸であるｘ軸とｙ軸とは直交しているものとし、ｘ軸は、レーダ軸方向前方に向かって右方向を正の方向、左方向に負の方向として設定する。【００２２】
一方、速度検出部６は、差信号の周波数１４を用いて反射点の相対速度を算出する。反射点の相対速度は受信波周波数のドップラー変調を用いて計算されることは広く知られている。位置検出部５でＦＭＣＷ方式や多周波ＣＷ方式を用いる場合には、距離と速度とを同時に算出することができるので、位置検出部５と速度検出部６とを同一の部位や素子で構成するようにしてもよい。【００２３】
軸ずれ量推定部７は、エコー検出部４によって検出された反射点のうち、自動車の走行軌道と平行をなす直線上に分布していると推測される反射点を抽出し、抽出された反射点の分布に基づいて軸ずれ量を算出する。図２は、軸ずれ量推定部７の詳細な構成を示すブロック図である。図において、軸ずれ量推定部７は、外部から反射点の位置１５及び反射点の相対速度１６を取得すると、静止物抽出部２１にこの反射点の位置１５及び反射点の相対速度１６を入力する。【００２４】
静止物抽出部２１は、反射点の位置１５あるいは相対速度１６に基づいて、静止物上の反射点のエコー（以下、静止物エコーという）を選択し、静止物エコー３１として出力する。なお、静止物エコー３１の内容としては、少なくとも静止物上の反射点の位置（デカルト座標、あるいはデカルト座標を極座標系などに変換した座標であって、デカルト座標と等価なものなど）が含まれる。静止物抽出部２１が入力された反射点が静止物上の反射点であるかどうかを判別する方法としては、例えば、次の方法１〜方法３として示すようないくつかの方法が考えられる。【００２５】
（方法１）反射点の相対速度に基づいて、その反射点が静止物上の反射点か否かを弁別する方法である。反射点の相対速度を用いる方法としては、まず外部から車両の速度データを取得して反射点の相対速度と照合し、反射点が静止物上の反射点か否かを識別する方法（方法１−１）が考えられよう。より具体的には、例えば自車に取り付けられた車速センサにより車速データを得て、その車速とほぼ同じ大きさで、かつ近づく方向のドップラー速度をもつ反射物を静止物と見なす方法である。【００２６】
また同じく反射点の相対速度を用いる方法としては、車両速度などの情報や信号を外部から取り込まずに、反射点の相対速度のみから反射点が静止物上の反射点か否かを弁別する方法（方法１−２）もある。この方法は、レーダ観測領域内に静止物エコーが多数存在し、かつ相対速度は複数の静止物エコーについてほぼ同一となる、という事実に基づくものである。すなわち、複数の反射点を相対速度について分類し、相対速度の分布が集中している反射点を静止物エコーとみなす方法である。【００２７】
（方法２）車線から外れた位置に存在する物体（反射点）を静止物と見なす方法である。反射点が車線から外れているかどうかを判断するには、ｘ座標について所定の基準（基準ｘ座標）を定めておき、各反射点のｘ座標と基準ｘ座標との差が一定以上となった場合に、この反射点が車線から外れたものとみなすこととすればよい。【００２８】
この場合、基準ｘ座標は、これまで得られた反射点のｘ座標を統計的に処理して算出する。例えば、直前に入力された複数の反射点のｘ座標の平均を求めて、この平均値を基準ｘ座標とする。さらには、この発明の実施の形態１のレーダ装置が最終的に求めるレーダ軸ずれ量に基づいて基準ｘ座標を定めることができることはいうまでもないであろう。【００２９】
なお、この方法２によれば、反射点のｘ座標のみでその反射点が静止物上の点かどうかを判断することができるので、軸ずれ量推定部７に対して反射点の速度１６を入力する必要がなくなる。したがってレーダの軸ずれ量を求める、あるいは軸ずれ量を補正して反射点の位置の算出精度を向上する、という目的だけを達成すれば十分ということならば、速度検出部６をレーダ装置の構成要素から省略してもよい。【００３０】
方法１−１では、外部の速度センサからの信号や情報を取得する必要があるので、速度データを伝達できるようにレーダ装置と移動プラットフォーム（車両等）の速度センサとの間を結線する必要がある。しかしながら、各反射点が静止物エコーであるか否かを反射点ごとに独立に識別することが出来るという特徴がある。【００３１】
これに対して、方法１−２と方法２はいずれも外部速度センサからの情報が不要であり、方法２に至っては反射点の速度の算出すら必要ないという特徴を有している。しかし、複数の反射点の位置情報に同時にアクセスできるような構成とする必要がある。すなわち、複数の反射点の位置情報を図示せぬ記憶装置に記憶しておく必要がある。【００３２】
なお、これらの各方法は原理的に互いに矛盾するものではないので、組み合わせて使用することは何ら問題がない。例えば方法２のように、ｘ座標に基づいて静止物エコーを絞り込んでおき、さらに方法１−１や方法１−２の方法を用いて静止物エコーを再度絞り込むようにしてもよい。【００３３】
このようにして算出された静止物エコー３１に基づいて、直線近似部２２は静止物エコーの分布を近似する直線を求める。そして近似した直線の傾きと切片とを直線３２として出力する。静止物エコーの分布を近似する直線を式（１）のように表現するならば、傾きはｐ、切片（ｘ切片：直線とｘ軸の交点のｘ座標）はｑとして与えられる。
【数１】
2007015288.tif 000002
【００３４】
以下、直線近似部２２が静止物エコーの分布に対して直線を近似する方法を詳しく説明する。図３は、直線近似部２２の詳細なブロック図である。図の静止物エコー３１は、観測域分割部２２１に入力される。観測域分割部２２１では、所定の境界線に基づいて分割された観測域が予め設定されており、その中から直線近似に供される静止物エコーが属する観測域が決められている。【００３５】
図４はこのような観測域（レーダ装置の覆域）の様子を示す図である。この図は、自動車４１の走行軌道に平行となるように境界線が設定されており、進行方向に向かって境界線の左側を領域Ａ、また境界線の右側を領域Ｂとした例である。図の×（バツ印、又はアルファベットのＸ）は静止物エコーの位置を示している。領域Ａの静止物エコーはガードレール４２にほぼ沿って分布している。また領域Ｂの静止物エコーは中央分離帯４３にほぼ沿って分布している。【００３６】
また、ここで用いる「境界線が自動車４１の走行軌道に平行である」という表現は、走行軌道と境界線とのなす角が”ほぼ０°であること”を意味しており、走行軌道と境界線が交わらないことを要求するものではない。すなわち、走行軌道と境界線が同一直線上に存在していてもよいし、交点を有していてもよい。【００３７】
観測域分割部２２１は、領域Ａと領域Ｂのうちのいずれか一方の観測域の静止物エコーだけを選択して、観測域内静止物エコー３２（以後、単に静止物エコー３２という）として出力するとともに、選択されなかった他方の観測域の静止物エコーを棄却する。例えば領域Ａの静止物エコーだけを選択して、静止物エコー３２として出力し、領域Ｂの静止物エコーを棄却する。あるいは領域Ｂの静止物エコーを選択して静止物エコー３２として出力し、領域Ａの静止物エコーを棄却するようにしてもよいことはいうまでもない。【００３８】
なお、静止物エコー３２のデータには、静止物エコー３１と同様に反射点の位置の座標（デカルト座標、あるいはデカルト座標を極座標系などに変換した座標であって、デカルト座標と等価なものなど）が含まれる。【００３９】
このようにすることで、領域Ａと領域Ｂのいずれか一方の領域だけに属する静止物エコーの分布を近似する直線を求めることが可能となる。一般に道路や車両軌道では、車両軌道を挟むようにして両側に静止物が分布する。このような状況で静止物エコーの抽出を行うと、静止物エコーが進行方向に向かって左右に散乱することになる。すなわち、ガードレール４２上の静止物エコーと中央分離帯４３上の静止物エコーの双方を同時に近似するような直線を求めざるを得ないこととなる。【００４０】
その結果、近似直線として求めた直線は車両の軌道と大きくずれることとなって、レーダの軸ずれ量を求める基準として利用することができなくなる。この問題に対して、観測域分割部２２１を用いて予め領域分割し、所定の領域に属する静止物エコーのみを採用して直線近似を行えば、直線近似の精度は大幅に向上することとなる。【００４１】
なお、静止物エコーが領域Ａと領域Ｂのいずれに属するかを判断するには、静止物エコーのｘ座標と境界線のｘ座標とを比較すれば足りる。また、境界線は自動車４１の走行軌道（進行方向）に平行に設定されることが望ましい。しかしながら、図４の例のような場合は、ガードレール４２の静止物エコーと中央分離帯４３上の静止物エコーのいずれかを棄却できれば十分である。したがって境界線は自動車の進行方向とほぼ０°をなす直線であればよいのである。また、通常は移動プラットフォーム（車両）にレーダ装置を取り付ける際にある程度の方向調整を行っているはずであり、軸ずれを補正する前の境界線の方向精度であっても十分に機能する。したがって境界線の設定にそれほど厳密な精度は要求されない。【００４２】
また、観測域を進行方向左右に分割する他に、静止物エコーのｘ座標ｘj（ｉ＝１，…，Ｎ、Ｎは自然数）の平均値ｘaveを算出し、この平均値ｘaveを境界線のｘ座標としてもよい。また境界線のｘ座標ｘaveと静止物エコーのｘ座標ｘjとの差の絶対値|ｘj−ｘave|を算出しておき、この絶対値が予め設定した値より小さくなる静止物のみを抽出するというようにして、静止物エコーを選択してもよい。この場合は、差の絶対値と比較する設定値及び境界線のｘ座標によって観測域を分割していることになる。【００４３】
なお、路側の他、走行方向の正面の道路上部にも、交通標識などの反射物が存在する可能性がある。路側のみのデータを抽出するために、静止物のｘ座標を限定して抽出することを行ってもよい。一方、例えばトンネル内では道路上方にも車両軌道と平行に位置する壁面が存在するので、上方壁面上の静止物エコーを選択するように観測域を分割してもよい。【００４４】
次に、静止物エコー３２は図３の基準直線算出部２２２に入力され、基準直線算出部２２２において、静止物エコー３２の分布を近似する直線を求める。図５は基準直線算出部２２２の処理のフローチャートである。基準直線算出部２２２は所定の周期毎、より詳しくはエコー検出部４が差信号の周波数１４を出力するタイミング又は位置検出部５が反射点エコーを出力するタイミングに同期するように、このフローチャートに示された処理を実行し、それぞれのタイミングに合わせて個々に軸ずれ量を算出することになる。【００４５】
図５のステップＳＴ１０１において、まず繰返し数を０に設定する。この繰返し数は直線の近似処理回数を計測するためのカウンタである。その後基準直線算出部２２２は、直線を近似する（ステップＳＴ１０２）。静止物エコー３２がＮ個（Ｎは自然数）存在するとし、このＮ個の静止物エコーのうちのｉ番目の静止物エコーの位置を（ｘi、ｙi）（ｉ＝１，…，Ｎ）とする。これに対し、近似後の直線は式（１）で与えられる。ここで、その傾きｐとｘ切片ｑは、最小二乗法により、式（２）及び式（３）によって算出される。
【数２】
2007015288.tif 000003
【数３】
2007015288.tif 000004
【００４６】
傾きｐとｘ切片ｑとを求めた後、基準直線算出部２２２は近似直線として求めた直線の近似精度を評価し、近似の精度が予め定められたものよりも劣る場合には、静止物エコーのうちのいくつかを棄却して、再度近似直線を求める処理に移行する。具体的にいえば、まず静止物エコーと近似直線との距離を算出する（ステップＳＴ１０３）。静止物エコー（ｘi，ｙi）と直線ｘ＝ｐｙ＋ｑとの距離ｄiは式（４）にて算出される。
【数４】
2007015288.tif 000005
【００４７】
次に、式（４）を通じて算出されたｄiが所定値以上となる静止物エコーを静止物エコー３２の集合の中から棄却する（ステップＳＴ１０４）。こうすることで、直線近似の精度を劣化させる要因となっている静止物エコーを近似対象となる静止物エコーから効率的に除去することが可能となる。【００４８】
図６は、ステップＳＴ１０４によって直線の近似精度、ひいては軸ずれ量推定精度が向上することを説明する図である。図において、自動車４１の左前方に静止物エコーの集合５１が直線５２に沿うように存在している。また静止物エコーの集合５３が直線５２とは異なる直線５４に沿うように存在している。ここでステップＳＴ１０２によって静止物エコーの集合５１と５３とを同一の直線で近似しようとすると、例えば直線５５のような近似直線が得られることになる。【００４９】
そこで、ステップＳＴ１０３によって、直線５５と静止物エコーの集合５１と５３に属する各静止物エコーとの距離を算出し、ステップＳＴ１０４によって静止物エコーの集合５３に属する静止物エコーを棄却すると、静止物エコーの集合５１が沿っている本来の直線５２に近い直線に近似されるものと期待できる。【００５０】
この結果、直線５５に基づいて軸ずれ量を求めようとすると、角度５６のようになるところ、直線５２を軸ずれ量算出のための基準直線とし、この基準直線に基づいて軸ずれ量を求めることができるので、角度５７が得られることとなって、軸ずれ量の推定精度が向上することが分かる。【００５１】
ここで、棄却された静止物エコーの数が０の場合、あるいは静止物エコー３２の集合中に残存している静止物エコーの数が所定数を下回った場合（ステップＳＴ１０５：Ｙえｓ）は、推定軸ずれ量を欠損値とする（ステップＳＴ１０６）。逆に、ステップＳＴ１０４において、いずれかの静止物エコーが棄却されるとともに、依然として静止物エコー３２の集合中に残存している静止物エコーの数が所定数以上の場合（ステップＳＴ１０５：Ｎｏ）は、残存している静止物エコーの分布を近似する直線を再度求める（ステップＳＴ１０７）。ここで行われる演算はステップＳＴ１０３と同じである。【００５２】
その後、繰返し数に１加えて（ステップＳＴ１０８）、静止物エコーと直線との距離を式（４）にて算出する（ステップＳＴ１１０）。距離を算出後、さらに基準直線算出部２２２は、算出した距離の平均を算出し、この平均値が所定値を超えているかどうか検定する（ステップＳＴ１１０）。このような検定によって、直線の近似精度が十分なレベルに達したかどうかを評価することができるのである。【００５３】
ここで、平均値が所定値を超えてしまった場合（ステップＳＴ１１０：Ｙｅｓ）は、まだ近似精度が十分でないと判断されるので、再び近似処理を行う。ただし繰返し数が所定値を超えている場合は、これ以上の近似処理を行わず、この静止物エコー３２に対する推定軸ずれ量を欠損値とする（ステップＳＴ１０６）。レーダ装置が自動車に搭載されている場合などでは、軸ずれ量推定の演算にあまり長い時間をかけてしまうと応答性能が劣化してしまう。そうするとレーダ装置が衝突回避・防止システムなどに適用されている場合に、走行中の安全に重大な支障を来す場合もありうる。そこで、直線近似処理の回数が所定の回数以上とならないように制御することで、応答性能を劣化させないようにする。【００５４】
一方、繰返し数が所定回数を超えていない場合は、再び直線近似処理を行う。そのためにまずステップＳＴ１０９で算出した静止物エコーと直線との距離に基づいて静止物エコーの棄却処理を行う（ステップＳＴ１０４）。以後、ステップＳＴ１０５〜ステップＳＴ１１１の直線近似処理を順次繰り返す。【００５５】
このように、この発明の実施の形態１のレーダ装置は、静止物エコーの分布を近似する直線を求めるだけでなく、求めた直線が各静止物エコーの分布に沿うものかどうかを評価する。すなわち、近似直線に対する静止物エコーの分布の一致度、収束度を評価する。そして、静止物エコーの分布を十分に近似していないと判断される場合に、近似精度劣化の要因になっている静止物エコーを棄却した上で、再度静止物エコーの分布を近似する直線を求める。この結果として、単純な直線近似による軸ずれ量推定に比べて精度が大幅に向上することとなる。【００５６】
一方、ステップＳＴ１１０において、平均値が所定値を超えない場合（ステップＳＴ１１０：Ｎｏ）は、すでに直線の近似精度が十分に高いと判断されるので、求めた近似直線を軸ずれ量１７として出力し（ステップＳＴ１１１）、処理を終了する。【００５７】
なお、軸ずれ量１７を出力するにあたって、基準直線算出部２２２は求めた基準直線の傾きとｘ切片とをそのまま軸ずれ量１７として出力してもよいし、システムの要求に合わせた表現形式の軸ずれ量１７に変換するようにしても構わない。例えば軸ずれ量として角度表現（ラジアン値など）が適しているのであれば、式（５）によって直線３２とレーダ軸のなす角度αをレーダ軸の軸ずれ量１７として算出する。
【数５】
2007015288.tif 000006
【００５８】
最後に、位置補正部８は位置検出部５が出力した反射点の位置１５を、軸ずれ量１７を用いて補正し、補正後の位置１８をレーダ装置の外部に出力する。【００５９】
このようにして、この発明の実施の形態１のレーダ装置によれば、レーダ軸ずれ量を推定するために反射点の分布を近似する直線を求めるが、この直線を求めるにあたって、観測域を境界線に基づいて分割し、そのうちの一部の観測域に含まれる反射点のみを用いることとしたので、直線近似の精度を劣化させる要因が取り除かれて、直線近似の精度が大幅に向上する。【００６０】
さらに直線近似にあたり、直線から距離のある反射点を取り除くことで、さらに直線近似の精度を劣化させる要因が取り除かれて、直線近似の精度が大幅に向上する。【００６１】
実施の形態２．
実施の形態１のレーダ装置は、移動プラットフォームである車両が直線運動を行っていて、かつ軌道も直線であることを前提として、静止物エコーの分布を近似する直線を求め、この直線の傾きを用いてレーダの軸ずれ量を推定するというものであった。【００６２】
しかし、レーダ装置を自動車に搭載する場合、操舵角が０でない時間が全運行時間に占める割合を無視することはできない。また常に車両の軌道（道路）が直線であるとは限らない。このような場合に、単純に静止物エコーの分布を近似する直線を求めても正しい結果が得られない。【００６３】
さらに、実施の形態１のレーダ装置は、所望の近似精度が得られない場合、あるいは近似処理の回数が所定回数以上となった場合に、軸ずれ量の欠損を発生させることとしているが、軸ずれ量の欠損に対するハンドリング方法が明らかにされていない。【００６４】
そこで、この発明の実施の形態２では、実施の形態１のレーダ装置の軸ずれ量推定処理において軸ずれ量を平滑するステップをさらに設けることで、車両の軌道形状の変動や車両の操舵角の変動、そして軸ずれ量の欠損に対応しうる軸ずれ量の推定方法が得られることを説明する。【００６５】
この発明の実施の形態２によるレーダ装置は、実施の形態１のレーダ装置の軸ずれ量推定部７を改良したものである。したがって、特に説明しない限り、実施の形態２のレーダ装置の構成は実施の形態１のレーダ装置と同様の構成となっている。【００６６】
図７は、この発明の実施の形態２のレーダ装置の特徴部分である直線近似部２２の構成を示すブロック図である。図において、【００６７】
軌道曲率取得部２４は、車両が現在走行している位置での軌道の曲率３４を取得する部位である。曲率３４を取得する具体的な方法としては、例えば走行中の車両の角速度を取得するヨーレートセンサの計測値を利用するようにしてもよいし、車両の操舵装置からの操舵角情報を曲率に変換するようにしてもよい。【００６８】
また基準直線記憶部２５は、所定の長さの観測期間毎に得られた軸ずれ量３５を複数期間分記憶する部位である。また軌道曲率記憶部２６は基準直線が算出されるタイミングで基準直線算出部２２２が軌道曲率取得部２４から取得した車両の軌道の曲率を記憶する部位である。【００６９】
以後の説明では、１つの軸ずれ量３３が算出される時間帯を区間と呼ぶこととし、各区間は区間１、区間２、…のように番号で識別されるものとする。そして区間に付した番号が連続する区間同士は前後に隣接するものとする。またある区間Ｎ（Ｎは自然数）において取得された軸ずれ量３３を軸ずれ量３３（Ｎ）、曲率３４を曲率３４（Ｎ）と表す。【００７０】
次に、基準直線算出部２２２の処理について説明する。基準直線算出部２２２は、軌道曲率取得部２４より曲率３４（Ｎ）を取得する。また基準直線算出部２２２は、軌道曲率記憶部２６から曲率３６を取得する。この曲率３６は、以前に基準直線算出部２２２が軌道曲率取得部２４から取得した曲率３４（ｋ）（ｋ＜Ｎ）である。その後、基準直線算出部２２２は、曲率３４（Ｎ）を軌道曲率記憶部２６に記憶させる。その結果、軌道曲率記憶部２６が記憶する曲率は曲率３６から曲率３４（Ｎ）に置き換えられ、次回の処理で曲率３４（Ｎ）が曲率３６として用いられることになる。【００７１】
次に、基準直線算出部２２２は、曲率３６（曲率３４（ｋ）、ｋ＜Ｎ）と曲率３４（Ｎ）がともに所定値以下の曲率かどうかを検定する。その結果、曲率３６と曲率３４（Ｎ）の何れかが所定値を超えた場合、基準直線算出部２２２は現在の静止物エコー３２から基準直線を算出する処理に替えて、基準直線記憶部２５が記憶している基準直線３５を用いる。例えば、基準直線記憶部２５が最近数回の基準直線を記憶している場合には、これらの基準直線の平均値（傾きの平均値およびｘ切片の平均値）を用いて今回の基準直線を算出する。【００７２】
また、曲率３６と曲率３４（Ｎ）がともに所定値以下である場合に、自動車が直進状態にあると判断する。そして実施の形態１と同様に基準直線を求めて推定軸ずれ量を計算する。推定軸ずれ量が正しく計算された場合は、基準直線を基準直線記憶部２５に記憶させ、算出した軸ずれ量を出力する。【００７３】
また、実施の形態１の方法で軸ずれ量を算出した結果、推定された軸ずれ量が欠損値となる場合は、曲率３６と曲率３４（Ｎ）の何れかが所定値を超えた場合と同様に、基準直線記憶部２５が記憶している基準直線３５を用いて今回の基準直線を算出する。【００７４】
以上のように、この発明の実施の形態２のレーダ装置によれば、軌道曲率取得部２４から軌道の曲率を取得して、算出する軸ずれ量が有効でないと判断される場合に、過去の有効な軸ずれ量に基づいて代替値を算出して出力するとした。このため、曲線軌道において算出された軸ずれ量に基づいて位置が補正されることを防ぐことができ、軸ずれ量推定処理の信頼性を向上させることができる。【００７５】
さらに、直線近似処理において十分な精度をもって直線近似が行えない、あるいは所望の応答時間内に直線近似が行えない、などの理由で軸ずれ量の欠損が発生しても、過去に蓄積した十分に信頼性の高い軸ずれ量を用いて回復処理を行うので、軸ずれ量推定処理の堅牢性を高めることができ、さらにはこのようなレーダ装置の主な用途である衝突予測・回避システムの安全性を高めることに寄与する。
【産業上の利用可能性】
【００７６】
この発明は、レーダ技術の精度を向上させるために有用であり、特に自動車搭載用レーダ装置に適用することができる。
【図１】
2007015288.tif 000007
【図２】
2007015288.tif 000008
【図３】
2007015288.tif 000009
【図４】
2007015288.tif 000010
【図５】
2007015288.tif 000011
【図６】
2007015288.tif 000012
【図７】
2007015288.tif 000013
【国際調査報告】
2007015288.tif 000014
2007015288.tif 000015
2007015288.tif 000016
2007015288.tif 000017